(57)【特許請求の範囲】
【請求項１】
マット状苗（Ａ）を収容した苗タンク（１）を苗取出口（２）に対して左右の方向へ往復横移動しながら、この苗取出口（２）に作用する苗植爪（３）によってマット状苗（Ａ）の繰出端縁部を分離挿植する苗植機において、苗取出口（２）の下側に苗受片（４０）を設け、苗植爪（３）の一苗分離作用毎の苗タンク（１）の横移動幅（Ｂ）を、この苗植爪（３）の爪幅（Ｃ）よりも大きく設定すると共に、苗植爪（３）を、突出する左右両側の片部と該左右の片部間で前側に湾曲させた中針（３８）とを備えて構成した苗植機。
【発明の詳細な説明】
【０００１】
【発明の属する技術分野】
この発明は、マット状苗を苗タンクに供給して、苗植爪で分離挿植する苗植機のマット状苗分離装置に関する。マット状苗をロール巻状にするロングマット状苗のように、軽量化育苗されるマット状苗を使用する苗植機に有効である。
【０００２】
【発明が解決しようとする課題】
苗タンクを左右の方向へ横移動させながら、この苗取出口に苗植爪を作用させて、苗タンクに収容するマット状苗を分離挿植する形態の苗植機では、苗タンクの各横移動幅と苗植爪の爪幅と一致させて構成するのが一般的である。
このような構成では、軽量化に育苗されるマット状苗を用いる苗植機で、苗植爪の左右一側端部がマット状苗に十分に係止されないで、苗取作用が不良となり易く、苗植付姿勢が乱れ易い等の決点がある。
【０００３】
【課題を解決するための手段】
この発明は、マット状苗（Ａ）を収容した苗タンク（１）を苗取出口（２）に対して左右の方向へ往復横移動しながら、この苗取出口（２）に作用する苗植爪（３）によってマット状苗（Ａ）の繰出端縁部を分離挿植する苗植機において、苗取出口（２）の下側に苗受片（４０）を設け、苗植爪（３）の一苗分離作用毎の苗タンク（１）の横移動幅（Ｂ）を、この苗植爪（３）の爪幅（Ｃ）よりも大きく設定すると共に、苗植爪（３）を、突出する左右両側の片部と該左右の片部間で前側に湾曲させた中針（３８）とを備えて構成した苗植機とする。
【０００４】
【発明の効果】
マット状苗Ａを収容した苗タンク１を苗取出口２対して左右の方向へ、この苗タンク１の幅一杯に亘って往復横移動しながら、この苗取出口２に作用する苗植爪３によって、マット状苗Ａの繰出端縁部を分離して土壌面へ挿植する。
このときの苗タンク１の苗植爪３による各苗分離作用毎の横移動幅Ｂは、この苗植爪３の爪幅Ｃよりも大きく設定されているために、苗植爪３が苗取出口２でマット状苗Ａを分離するときは、苗植爪３の左右両側端部に亘ってマット状苗Ａの繰出端縁部を係止して分離し挿植することとなり、マット状苗Ａの係止が確実となり、苗取作用が安定され、挿植時の苗保持姿勢も直立姿勢に揃えることができる。更に、苗受片４０により、分離されようとする苗の底面を支持して分離時の抵抗を支え、苗分離を正確に行える。また、中針３８により、マット状苗Ａの分離保持を確実に行える。しかも、中針３８は前側に湾曲するので、苗分離時の苗身部に対する抵抗を小さくできる。
【０００５】
【発明の実施の形態】
トラクタ車体４は、ステアリングハンドル５で操向自在の前車輪６と、操縦席７後部に配置の後車輪８を有して、操縦席７下部に搭載のエンジン９によって、無段変速ベルト１０による変速伝動機構や、フロントミッションケース１１内の伝動機構、及び後輪伝動軸１２等を経て伝動し走行しうる。
【０００６】
前記車体４の後部には、平行リンク機構からなるリフトリンク１３が設けられて、油圧力で伸縮されるリフトシリンダ１４で昇降される。苗植装置１５は該リフトリンク１３後端のヒッチ１６に連結されて、ローリング軸１７の回りに回動自在にして連結される。
前記苗植装置１５は、ヒッチ１６に対してローリング軸１７で連結される伝動ケース等を主体とする苗植フレーム１８の下側に、土壌面を滑走するフロート１９を配置し、この伝動ケース部の後部には苗植爪３を配置し、苗植フレーム１８の上方には後下り傾斜の苗タンク１を設けている。
【０００７】
前記苗タンク１は、多条植の植付多数に応じたマット状苗Ａを収容しうる幅毎に仕切壁２０を有して、全幅に亘って一体的構成とし、底部には繰出ベルト２１を張設して、下端部を苗取出口２を形成した苗受板２２上面に摺接させて、左右方向へ往復移動案内させる。
前記苗植爪３は、苗植フレーム１８の後部に回転される回転ケース２３と、この回転ケース２３の前後両端部に回動可能い設ける植付ケース２４とを主体として、ダブルクランク機構形態に構成され、これら回転ケース２３、植付ケース２４内の伝動機構によって、この植付ケース２４の先端に取付けられる苗植爪３を、前記苗受板２２の苗取出口２を通る楕円形状の植付軌跡線Ｄを描いて作動しうる構成としている。
【０００８】
これら苗植装置１５の各伝動部である苗タンク１の横移動や、繰出ベルト２１の間欠的繰出駆動、植付ケース２４の作動等は、前記車体４側のＰＴＯ軸２５から連動軸等を経て連動する。
前記苗タンク１は、各左右仕切壁２０間の間隔幅を左右に往復横移動するもので、一定の横移動幅Ｂ毎に停止して間欠的に移動される。この左右往復横移動は、各苗タンク１下端部の苗取出口２を常時移動圏内において、苗取出口２に対して苗タンク１の下端縁部が左方向へ移動し、又この横移動の終端部では折返して、右方向へ移動するように往復移動される。２６がその往復移動のリードカム軸で、苗植フレーム１７である伝動ケース内の伝動機構で連動される。
【０００９】
各苗タンク１に対向して設けられる苗受板２２の苗取出口２、及びこの苗取出口２に作動する苗植爪３は、苗植フレーム１８に対して定位置にあって、各フロート１９で均平された土壌面に下動して苗の植付を行うことができる。
前記繰出ベルト２１は、伝動ケース内の伝動機構で回転されるアーム２７の回転圏内に、ベルト軸２８の左右両端部のアーム２９が、苗タンク１の左右往復横移動の終端部で位置することによって、一定角度駆動される構成で、マット状苗Ａを一定量だけ下側の苗取出口２側へ繰出すものである。
【００１０】
前記苗植爪３は、植付ケース２４の先端部にビス３０で取付けられ、左右両側部を平行状に突出してフォーク形態に構成される。この苗植爪３の後側には、植付ケース２４に対してこの苗植爪３の突出方向に沿って摺動自在の押出ロッド３１が設けられ、この下端に苗押出子３２が設けられる。
前記苗押出子３２は、苗植爪３で分離して保持する苗の上面を係止し、植付ケース２４内のカム機構３３と、押出ロッド３１を弾発するばね３４と等によって上下動され、苗植爪３が苗取出口２部を通るときは上位にあって苗上面を係止するが、土壌面近くでは下動して係止していた苗を土壌中へ挿植させる。
【００１１】
前記苗タンク１の間欠的移動の１ピッチである横移動幅Ｂは、苗植爪３の左右横方向の爪幅Ｃよりも大きくなるように設定される。これによって苗植爪３がマット状苗Ａの前端縁である繰出端縁部を左から右側へ、又折返しては右から左側へ順次分離して行くが、フォーク状の苗植爪３は左右両側部が常に分離しようとするマット苗Ａ部を係止域として、この苗植爪３による苗の係止を正確に行い、分離された苗の保持姿勢を直立状に維持して、左右への傾斜や乱れを防止できる。
【００１２】
又、苗取出口２の左右方向の横幅は、苗タンク１の間欠的横移動幅Ｂとほぼ同幅に形成するもよく、又、苗植爪３が通過しうる程度にできるだけ狭幅に形成されるもよい。
前記マット状苗Ａは、苗タンク１の内幅と同幅で長いマット状苗としてリール３５にロール巻きにして保持される。このリール３５を苗タンク１上のリールアーム３６に支架させる。このリール３５回りのロール巻状態のマット状苗Ａを、繰出ベルト２１上面で繰出しながら苗取出口２側へ供給させる。３７は苗タンク１の下部上に設けた苗案内杆である。
【００１３】
リール３５に支持されるロール巻状のマット状苗Ａは、苗タンク１と共に横移動して、前端の繰出端縁部が、苗受板２２に摺接される。この苗受板２２の苗取出口２では苗植爪３が上方から下方へ作動していて、この繰出端縁部のマット状苗Ａ１がこの苗植爪３によって分離されて、分離苗Ａ２として苗植爪３に保持されて、苗取出口２から下方の土壌面へ挿植される。
【００１４】
この苗分離作用では、苗タンク１の横移動によってマット状苗Ａ１は苗取出口２上側において、横移動幅Ｂに亘って送られているために、この苗取出口２上のマット状苗Ａ１は苗植爪３の爪幅Ｃよりも広く、この苗植爪３は左右両側部共にこのマット状苗Ａ１を突き刺して係合することができる。
このようにして苗植爪３の左右両側部の爪幅Ｃ部に亘って係合されて分離される分離苗Ａ２は、正確に保持されて、左右へ傾斜したり、外れるようなことが少く、挿苗姿勢を乱さないように揃えることができる。
【００１５】
このように苗植爪３による分離苗Ａ２の分離挿植が行われると、続く苗タンク１の横移動によって繰出端縁部のマット状苗Ａ１を、横移動幅Ｂだけ苗取出口２上面に繰出して、次の苗植爪３の分離作用を待つ。
図７において、上例と異なる点は、前記苗植爪３の左右両側片部間の中央部に前側に湾曲させた中針３８を設けて、軽量化育苗の前記ロングマット状苗Ａの分離保持を確実に行わせようとするものである。中針３８は前側に湾曲されるため、苗分離時の苗身部に対する抵抗を小さくできる。又、この中針３８は取付部３９で、苗植爪３に着脱可能に構成するもよい。
【００１６】
図８において、上例と異なる点は、前記軽量化して育苗されたロングマット状苗Ａの苗分離を正確に行わせるために、苗受板２２の苗取出口２の下側に苗受片４０を設けて、苗植爪３の下動によって分離されようとするマット状苗Ａ１の底面を支持して、苗植爪３による苗Ａ１の突き刺しや、分離時の抵抗を支える。
この苗受片４０は、苗取出口２に沿ってのぞませた凹字形態としている。この苗受片４０は支持アーム４１を有して支軸４２回りに上下回動され、上死点部で苗取出口２の下側に接当し、下方回動で苗取出口２から離れて、苗タンク１下の前側へ逃げ、苗植爪３の植付軌跡線Ｄから離間するように作動する。これら支軸４２と苗受板２２とはブラケット４３で苗植フレーム１８に一体的に設けられる。
【００１７】
なお、この苗受片４０は、分離されようとする苗Ａ１の自由端側のみを支持する構成とするもよく、苗タンク１の左右往復移動の折返部で切替えて苗Ａ１の自由端側を苗取出口２にのぞませるように作動させる構成とするもよい。
【図面の簡単な説明】
【図１】苗タンク部の平面図と、一部の作用図。
【図２】植付ケース部の側面図。
【図３】苗植爪部の側面図と、背面図。
【図４】苗植装置部の側面図。
【図５】苗植機の側面図。
【図６】その平面図。
【図７】本発明に係る実施例を示す苗植爪部の斜視図、側面図、正面図、及び断面図。
【図８】一部別実施例を示す苗受板部の斜視図と、側面図。
【符号の説明】
１  苗タンク
２  苗取出口
３  苗植爪
３８  中針
４０  苗受片
Ａ  マット状苗
Ｂ  横移動幅
Ｃ  爪幅
【図１】
0004038922.tif 000002
【図２】
0004038922.tif 000003
【図３】
0004038922.tif 000004
【図４】
0004038922.tif 000005
【図５】
0004038922.tif 000006
【図６】
0004038922.tif 000007
【図７】
0004038922.tif 000008
【図８】
0004038922.tif 000009